(57)【特許請求の範囲】
【請求項１】
接合面にインサートナットが埋設され、接合ボルトが挿通される貫通孔が上記接合面とほぼ平行にシース管によって形成されたコンクリート製のセグメントにおいて、上記インサートナットとシース管の間に、アンカー部材がその基端をインサートナットに一体に固着するとともに、自由端をシース管に、上記インサートナットの固定力を強化するよう係止して設けられたことを特徴とするセグメントにおけるインサートナットの固定構造。
【請求項２】
アンカー部材が環状とされ、その孔にシース管が挿通されたことを特徴とする請求項１記載のセグメントにおけるインサートナットの固定構造。
【請求項３】
アンカー部材の自由端がフック状に形成されたことを特徴とする請求項１記載のセグメントにおけるインサートナットの固定構造。
【請求項４】
接合面は六角形セグメントの傾斜接合面であることを特徴とする請求項１，２又は３記載のセグメントにおけるインサートナットの固定構造。
【発明の詳細な説明】
【０００１】
【発明の属する技術分野】
本発明は、六角形セグメント等に埋設されたインサートナットの固定構造に関する。
【０００２】
【従来の技術】
トンネルを構築する方法の一つに、掘進とセグメント組立てとを同時に行いながら施工しいく、いわゆるシードル工法がある。従来、このようなシールド工法に用いられるコンクリート製のセグメントとして、図５に示す六角形セグメントＳが知られている。
【０００３】
この六角形セグメントＳは、互いに平行な直線状の側部接合面Ｓａ，Ｓｂの両端に、傾斜接合面Ｓｃ，Ｓｄを角状に突き出してそれぞれ連設したもので、側面視において円弧状に湾曲しており、側部接合面Ｓａ，Ｓｂ間と、一方の側部接合面Ｓａとこれに向き合う一方の傾斜接合面Ｓｄとの間に、シース管１，２によって接合用の貫通孔Ｓｅ，Ｓｆがそれぞれ形成され、また他方の傾斜接合面Ｓｃにインサートナット３が埋設されている。
【０００４】
上記六角形セグメントＳを長さ方向に複数連結してリング状にするには、２枚の六角形セグメントＳ，Ｓのそれぞれ１つの傾斜接合面Ｓｃ，Ｓｄどうしを互いに突き合わせ、一方の六角形セグメントＳの貫通孔Ｓｆに接合ボルト４を挿入して他方の六角形セグメントＳのインサートナット３に螺着することにより六角形セグメントＳ，Ｓどうしを接合し、また、リング間の接合は、２枚の六角形セグメントＳ，Ｓの側部接合面Ｓａ，Ｓｂどうしを互いに突き合わせ、それらの貫通孔Ｓｅ，Ｓｅに接合ボルト５を挿入して互いに螺着することにより行っている。なお、トンネル覆工の場合、図５で右が坑口側であり、左が切羽側である。
【０００５】
上記従来の六角形セグメントＳにおいては、インサートナット３を単にコンクリートＣ内に埋設しただけでは固定力が不足し、接合ボルト４をインサートナット３に螺着してセグメントＳ，Ｓどうしを接合する際にインサートナット３が周方向に回転したり、或いはセグメントから抜け出したりするおそれがあるため、図６に示すように、インサートナット３にアンカー筋１１を溶接等で固着して固定力を強化している。
【０００６】
【発明が解決しようとする課題】
ところが、上記したインサートナットの固定構造ては、インサートナット３の固定力を高めるためには、アンカー筋１１の固定本数を増したり、或いは長大なアンカー筋１１を使用しなければならず、コスト高につくほか、インサートナット３の固定準備作業に手間がかかる不満がある。
【０００７】
本発明は、インサートナットの固定力を合理的に強化することができるセグメントにおけるインサートナットの固定構造を提供することを目的とする。
【０００８】
【課題を解決するための手段】
上記の目的を達成するために、本発明に係るセグメントにおけるインサートナットの固定構造は、接合面にインサートナットが埋設され、接合ボルトが挿通される貫通孔が上記接合面とほぼ平行にシース管によって形成されたコンクリート製のセグメントにおいて、上記インサートナットとシース管の間に、アンカー部材を、その基端をインサートナットに一体に固着するとともに、自由端をシース管に、上記インサートナットの固定力を強化するよう係止して設けた構成とした。
【０００９】
アンカー部材を環状とし、その孔にシース管を挿通させた構成とすることも、アンカー部材の自由端をフック状に形成することもできる。また、六角形セグメントに実施することができ、その場合は対象接合面は六角形セグメントの傾斜接合面となる。
【００１０】
【発明の実施の形態】
発明の実施の形態を実施例に基づき図面を参照して説明する。
図１と図２は本発明に係るセグメントにおけるインサートナットの固定構造の一実施例を示す。なお、図５及び図６と同一の部材等には同一の符号を付してその詳しい説明は省略する。
【００１１】
図１と図２において符号７はアンカー部材であり、鋼等の金属棒を横に長く湾曲させて環状に形成されている。このアンカー部材７は、２個、その長さ方向をインサートナット３の長さ方向に揃えた状態でインサートナット３の根端部３ａを基端７ａ，７ａで挟さみ、溶接によってインサートナット３に一体に固着されている。
【００１２】
２個のアンカー部材７，７は、互いにほぼ平行であり、自由端７ｂ，７ｂの孔部分にシース管２を挿通されてそのシース管２に自由端７ｂ，７ｂをそれらの間のコンクリートＣを介して係止されている。インサートナット３の根端部３ａは大形の六角形状とされており、アンカー部材７の固着力を強めている。シース管２、つまり貫通孔Ｓｆと傾斜接合面Ｓｃとはほぼ平行である。
【００１３】
インサートナットの上記固定構造においては、貫通孔Ｓｆを形成しているシース管２とこれに挿入された接合ボルト４がインサートナット３の固定に働くこととなる。したがって、インサートナット３の固定力を、コストを高めたり手間をかけたりせずに、きわめて合理的に強化することができる。
【００１４】
図３は本発明の他の実施例を示す。この実施例では、鋼等の金属棒からなる２本のアンカー部材８，８が、長さ方向をインサートナット３の長さ方向に揃え、インサートナット３の根端部３ｂを基端８ａ，８ａで挟んだ状態で溶接によりインサートナット３に一体に固着されるとともに、フック状に湾曲させられた自由端８ｂ，８ｂをシース管２にそれらの間のコンクリートＣを介して係止されている。
【００１５】
この接合構造においても、図１の接合構造と同一の効果があるうえ、アンカー部材８の形状が単純なだけ実施しやすく、コスト安になる。
【００１６】
図４は本発明の別の実施例であり、鋼等の金属棒からなる１本のアンカー部材９が、その基端９ａをインサートナット３の根端部３ｃに螺着してインサートナット３に一体に固着されるとともに、フック状に湾曲させられた自由端９ｂをシース管２にそれらの間のコンクリートＣを介して係止されている。
【００１７】
この実施例の場合も図１及び図３の接合構造と同一の効果が期待でき、しかも図３のものよりも更にコストを低減することができる。
【００１８】
図の実施例のものは、いずれも、アンカー部材７，８，９の自由端７ｂ，８ｂ，９ｂがシース管２にコンクリートＣを介して係止されているが、自由端７ｂ，８ｂ，９ｂをシース管２に接触させて直接係止してもよく、また単に接触させるだけでなく溶接等の手段で両者を一体に結合してもよい。
【００１９】
図１と図３のアンカー部材７，８は直径１９ｍｍの鋼の丸棒製であり、図４のアンカー部材９は直径２４ｍｍの鋼の丸棒製であるが、太さは上記よりも大きくても、小さくてもよい。また横断面形状は円形以外の四角形や六角形等でもよい。アンカー部材３自体の形状や使用本数も任意であり、図のものに限られるものではない。
【００２０】
本発明は主として六角形セグメントに実施されるが、四角形等の他の形状のセグメントに実施することが可能である。
【００２１】
【発明の効果】
以上説明したように、本発明に係るセグメントにおけるインサートナットの固定構造は、接合面にインサートナットが埋設され、接合ボルトが挿通される貫通孔が上記接合面とほぼ平行にシース管によって形成されたコンクリート製のセグメントにおいて、上記インサートナットとシース管の間に、アンカー部材がその基端をインサートナットに一体に固着するとともに自由端をシース管に係止して設けられた構成とされているので、インサートナットの固定力を、コストを高めたり手間をかけたりせずに合理的に強化することができる。
【００２２】
アンカー部材を環状とし、その孔にシース管を挿通した構成とすると、インサートナットの固定力を最大限に高めることができる。また、アンカー部材の自由端をフック状に形成した場合は、コストを低減することができる。
【００２３】
六角形セグメントの傾斜接合面に埋設されたインサートナットに適用した場合は、六角形セグメントどうしのリング状接合の強度を十分に高めることが可能となる。
【図面の簡単な説明】
【図１】本発明に係るセグメントにおけるインサートナットの固定構造の一実施例を示す断面図である。
【図２】図１のインサートナットとアンカー部材の関係を示す一部破断の正面図である。
【図３】本発明の他の実施例を示す要部の断面図である。
【図４】本発明の別の実施例を示す要部の断面図である。
【図５】従来の六角形セグメントの一部を破断した図である。
【図６】従来のインサーナットの固定構造を示す断面図である。
【符号の説明】
２  シース管
３  インサーナット
３ａ，３ｂ，３ｃ  根端部
４  接合ボルト
７，８，９  アンカー部材
７ａ，８ａ，９ａ  基端
７ｂ，８ｂ，９ｂ  自由端
Ｓ  セグメント
Ｓｃ  傾斜接合面
Ｃ  コンクリート
【図１】
0003540102.tif 000002
【図２】
0003540102.tif 000003
【図３】
0003540102.tif 000004
【図４】
0003540102.tif 000005
【図５】
0003540102.tif 000006
【図６】
0003540102.tif 000007